(57)【要約】【課題】洗剤液の洗浄効果が低下せず、且つ、水道の蛇口が近場になく、ホースが届かない場所でも自動車や犬などのペット、或いは、窓カラスなどを温水で容易に洗浄することができる洗浄装置を提供する。【解決手段】洗浄装置１０は、所定量の洗浄用水と洗剤液をそれぞれ収納可能な複数の容器１２と、当該各容器１２内に所定の圧力を印加する加圧手段７０と、洗浄用水及び洗剤液を放出する放出部３０と、各容器１２内と放出部３０とをそれぞれ連通する複数の通水経路（ホース２０）と、放出部３０からの洗浄用水及び洗剤液の放出を制御する操作レバー４１と、洗浄用補助具４４を着脱可能に装着可能な装着孔部３８とを備える。【選択図】図１
2007216862.tif 000002
【特許請求の範囲】
【請求項１】
所定量の洗浄用水と洗剤液をそれぞれ収納可能な複数の容器と、
当該各容器内に所定の圧力を印加する加圧手段と、
前記洗浄用水及び洗剤液を放出する放出部と、
前記各容器内と前記放出部とをそれぞれ連通する複数の通水経路と、
前記放出部からの前記洗浄用水及び洗剤液の放出を制御する複数の操作レバーと、
洗浄用補助具を着脱可能に装着可能な装着孔部とを備えたことを特徴とする洗浄装置。
【請求項２】
前記放出部に圧縮空気を供給するための圧縮空気経路を備え、前記放出部には、前記各通水経路からの複数の放水口と、前記圧縮空気通路からの空気吐出口とを設けたことを特徴とする請求項１に記載の洗浄装置。
【請求項３】
前記洗浄用補助具を取り外した状態で、前記装着孔部からは前記圧縮空気経路からの圧縮空気が吐出されることを特徴とする請求項１又は請求項２に記載の洗浄装置。
【請求項４】
前記各容器は、前記洗浄用水又は洗剤液及び圧縮空気の注入口を備え、該注入口には開閉可能な弁を設けたことを特徴とする請求項１乃至請求項３の何れかに記載の洗浄装置。
【請求項５】
前記放出部には、前記操作レバーとの間に手指挿入用空間を存して所定の保護部材を設けたことを特徴とする請求項１乃至請求項４の何れかに記載の洗浄装置。
【請求項６】
少なくとも前記容器、放出部及び各経路を載置可能な車輪付きの台車を備えたことを特徴とする請求項１乃至請求項５の何れかに記載の洗浄装置。
【請求項７】
少なくとも前記容器、放出部、各経路及び台車を収容可能な容積を有して内部を密閉可能なケースを備え、該ケースは、踏み台として使用可能な所定の強度を有することを特徴とする請求項６に記載の洗浄装置。
【発明の詳細な説明】
【技術分野】
【０００１】
本発明は、外水道がない場所でも放水可能であると共に、自動車の屋根などの高所にも容易に放水して洗車を行うことができる洗浄装置に関するものである。
【背景技術】
【０００２】
従来自動車の外装が汚れた場合、例えば洗車場に行って洗車機で洗車を行うか、自宅で外水道水を使用して洗浄ブラシで洗車を行うのが一般的であった。前者の洗車機で洗車を行う場合、洗車する車体に門型フレームを前後に移動させながら、昇降ドラムを昇降させて上部ノズルを車体の外面に沿って一定間隔で配置している。
【０００３】
そして、上部ノズルからは、水や洗剤、ワックス、或いは、それらを組み合わせた洗剤液を高圧で噴出させて自動車の上面を洗浄すると共に、側面に設けた側部ノズルからも上部ノズル同様高圧の洗剤液を噴出させて自動車の側面を洗浄するようになっていた。しかし、この洗車装置では水、或いは、洗剤液を高圧で噴射させることにより、汚れを落としていたため、車体に頑固にこびり付いた汚れを充分に洗い落とすことができず、スポンジや細毛等の柔らかい洗浄ブラシを併用して汚れを綺麗に落とした後、車体の水分を拭き取っていた（特許文献１参照）。
【０００４】
また、自宅で洗車を行う後者の場合、所定の大きさのバケツに洗剤と水とを入れて適量の洗剤液を作る。そして、スポンジや細毛等の柔らかい洗浄ブラシを洗剤液につけ、これを用いて汚れを綺麗に落としていた。そして、汚れを落とした後は、長いホース（５ｍ〜１５ｍ）の一端を外水道の蛇口に接続し、ホースの他端から水を噴出させて、洗剤液を洗い流した後、車体の水分を拭き取っていた。
【０００５】
また、近年、ブームとなっている犬などのペットにおいては、自宅バスルームの浴槽を利用してシャンプーを行っていた。
【特許文献１】特開平３−２２００５０号公報
【発明の開示】
【発明が解決しようとする課題】
【０００６】
しかしながら、前者は、先に洗車機の使用者がいると洗車機の使用が終了するまで待っていなければならないため、自動車の洗浄を行いたい時に使用できなかった。また、後者の場合、自動車を洗いたい時に洗車を行うことができるが、予めバケツに水道水と洗剤を入れて洗剤液を作り、一方の手に洗浄ブラシ、他方の手にバケツを持って洗浄ブラシを何度もバケツ内に入れて洗剤液をつけ、自動車の周りを移動しながら洗うのが一般的であった。
【０００７】
しかし、このような自動車の洗浄は、汚れが付いた洗浄ブラシを、洗剤液を入れたバケツ内に入れなければならないため、洗浄ブラシの汚れがバケツ内に落ちて洗剤液が汚れてしまう。このため、汚れた洗剤液で自動車を洗わなければならず、洗剤液の洗浄効果が低下してしまうと言う問題があった。
【０００８】
また、バケツ内の洗剤液が汚れてしまうのを防止するため、洗浄ブラシの汚れを水で洗い流してから、バケツ内の洗剤液につけると言う方法も考えられる。しかし、この方法では、水で汚れを洗い流した洗浄ブラシを、洗剤液が入ったバケツ内に入れるため、その水で洗剤液が薄まってしまう。このため、洗剤液の洗浄効果が低下してしまうと言う問題もあった。
【０００９】
また、洗剤液で自動車の汚れを落とした後は、水道の蛇口に接続した長いホースから水を噴出させて、洗剤液を洗い流していたので、外水道の蛇口が近場にないマンションや、アパートなどのホースが届かないところなどでは、洗車を行うことができない。このため、外水道が近場になく、ホースが届かない場所などでも、容易に洗車を行うことができる洗浄装置の開発が望まれていた。
【００１０】
また、犬などのペットを自宅バスルームの浴槽を利用してシャンプーを行った場合、シャワーの水温が高温になったり、低温になったりして温度調整に手間がかかってしまう。また、バスルームの浴槽でペットのシャンプーを行うと、抜けた毛などにより浴槽が汚れてしまう問題があった。
【００１１】
本発明は、係る従来技術の課題を解決するために成されたものであり、洗剤液の洗浄効果が低下せず、且つ、水道の蛇口が近場になく、ホースが届かない場所でも自動車や犬などのペット、或いは、窓カラスなどを温水で容易に洗浄することができる洗浄装置を提供することを目的とする。
【課題を解決するための手段】
【００１２】
即ち、本発明の洗浄装置は、所定量の洗浄用水と洗剤液をそれぞれ収納可能な複数の容器と、当該各容器内に所定の圧力を印加する加圧手段と、洗浄用水及び洗剤液を放出する放出部と、各容器内と放出部とをそれぞれ連通する複数の通水経路と、放出部からの洗浄用水及び洗剤液の放出を制御する複数の操作レバーと、洗浄用補助具を着脱可能に装着可能な装着孔部とを備えたことを特徴とする。
【００１３】
また、請求項２の発明の洗浄装置は、上記に加えて、放出部に圧縮空気を供給するための圧縮空気経路を備え、放出部には、各通水経路からの複数の放水口と、圧縮空気通路からの空気吐出口とを設けたことを特徴とする。
【００１４】
また、請求項３の発明の洗浄装置は、請求項１又は請求項２において、洗浄用補助具を取り外した状態で、装着孔部からは圧縮空気経路からの圧縮空気が吐出されることを特徴とする。
【００１５】
また、請求項４の発明の洗浄装置は、請求項１乃至請求項３の何れかに加えて、各容器は、洗浄用水又は洗剤液及び圧縮空気の注入口を備え、この注入口には開閉可能な弁を設けたことを特徴とする。
【００１６】
また、請求項５の発明の洗浄装置は、請求項１乃至請求項４の何れかに加えて、放出部には、操作レバーとの間に手指挿入用空間を存して所定の保護部材を設けたことを特徴とする。
【００１７】
また、請求項６の発明の洗浄装置は、請求項１乃至請求項５の何れかに加えて、少なくとも容器、放出部及び各経路を載置可能な車輪付きの台車を備えたことを特徴とする。
【００１８】
また、請求項７の発明の洗浄装置は、請求項６に加えて、少なくとも容器、放出部、各経路及び台車を収容可能な容積を有して内部を密閉可能なケースを備え、このケースは、踏み台として使用可能な所定の強度を有することを特徴とする。
【発明の効果】
【００１９】
本発明によれば、所定量の洗浄用水と洗剤液をそれぞれ収納可能な複数の容器と、当該各容器内に所定の圧力を印加する加圧手段と、洗浄用水及び洗剤液を放出する放出部と、各容器内と放出部とをそれぞれ連通する複数の通水経路と、放出部からの洗浄用水及び洗剤液の放出を制御する複数の操作レバーと、洗浄用補助具を着脱可能に装着可能な装着孔部とを備えたので、各操作レバーをそれぞれ操作することにより、洗浄用水と洗剤液とを別々に放水することができ、また、必要に応じて洗浄用水、或いは、洗剤液を放出部から放水することが可能となる。これにより、例えば、外水道の蛇口が近場にないマンションや、アパートなどのホースが届かない場所でも容器に入れた洗浄用水及び洗剤液で自動車や犬などのペット、或いは、窓ガラスなどを綺麗に洗浄することが可能となる。従って、自動車を狭い場所で洗わなくても、広い場所に移動してから洗うことができ、洗浄装置の利便性を大幅に向上させることができるようになるものである。
【００２０】
特に、加圧手段により各容器内に所定の圧力を印加することができるので、自動車の高い屋根などでも放出部から洗浄用水及び洗剤液などを放水することができる。また、装着孔部に例えばワイパーなどの洗浄用補助具を着脱可能に装着することができるので、放出部から自動車の屋根などに放水した洗浄用水及び洗剤液をワイパーにて綺麗に掻き落とすことが可能となる。これにより、洗浄した自動車表面に水滴を残すことなく綺麗に洗浄することが可能となる。従って、洗剤液と洗浄用水との使用量が少なくて済み、洗剤液と洗浄用水とを大幅に節約することができるようになるものである。
【００２１】
また、洗浄用補助具を、例えば犬などのペットを洗うことができる洗浄用櫛に交換すれば、ペットも洗うこともできる。従って、洗浄装置の汎用性を大幅に拡大することができるようになる。
【００２２】
また、請求項２の発明によれば、上記に加えて、放出部に圧縮空気を供給するための圧縮空気経路を備え、放出部には、各通水経路からの複数の放水口と、圧縮空気通路からの空気吐出口とを設けたので、例えば、装着孔部に圧縮空気を吐出可能な洗浄用補助具を装着すれば、洗浄ブラシで自動車を洗浄した後、自動車表面に残った洗剤液や洗浄用水を、空気吐出口から吐出した圧縮空気により綺麗に吹き飛ばすことができる。これにより、洗車後短時間で拭き取り作業を行うことが可能となる。従って、洗車作業の大幅な改善を行うことができるようになるものである。
【００２３】
また、請求項３の発明によれば、請求項１又は請求項２において、洗浄用補助具を取り外した状態で、装着孔部からは圧縮空気経路からの圧縮空気を吐出することができるので、例えば、犬などのペットを洗った後、吐出した圧縮空気でペットの毛を乾かすことができる。従って、洗浄装置の利便性を大幅に向上させることができるようになる。
【００２４】
また、請求項４の発明によれば、請求項１乃至請求項３の何れかに加えて、各容器は、洗浄用水又は洗剤液及び圧縮空気の注入口を備え、この注入口には開閉可能な弁を設けたので、何れか任意の弁が開かれ、他の全ての弁が閉じられた状態では、弁が開かれた容器内に洗浄用水又は洗剤液などを所定量注入することができる。これにより、任意の操作レバーを操作するだけで、圧縮空気で加圧された洗浄用水又は洗剤液などを放出部から放出させることが可能となる。また、各容器内にそれぞれ単独で圧縮空気を注入することができるので、単独で容器内の洗浄用水又は洗剤液を入れ換え、各容器内に所定の圧力を印加することができる。従って、不足した容器内の洗浄用水或いは洗剤液だけを入れ換えることができるので、容器内の洗浄用水或いは洗剤液の入れ換え工数を大幅に削減することができ、便利である。
【００２５】
また、請求項５の発明によれば、請求項１乃至請求項４の何れかに加えて、放出部には、操作レバーとの間に手指挿入用空間を存して所定の保護部材を設けたので、洗浄時に放出部を持っている手が、他の固い部分に当たってしまうのを保護することができる。これにより、洗浄時に手に怪我をしてしまうなどの不都合を未然に阻止することが可能となる。従って、極めて安全、且つ、作業し易い洗浄装置を提供することができるようになるものである。
【００２６】
また、請求項６の発明によれば、請求項１乃至請求項５の何れかに加えて、少なくとも容器、放出部及び各経路を載置可能な車輪付きの台車を備えたので、例えば、自動車の洗浄時に洗浄装置を軽い操作力で移動することができるようになる。これにより、従来のように、水道の蛇口に接続されたホースが邪魔になることなく、洗浄装置を移動することが可能となる。従って、従来のように、長いホースを引き摺って自動車周囲を洗浄しなくても、洗浄装置を台車で移動して、自動車周囲を容易に洗浄することができるようになるものである。
【００２７】
また、請求項７の発明によれば、請求項６に加えて、少なくとも容器、放出部、各経路及び台車を収容可能な容積を有して内部を密閉可能なケースを備え、このケースは、踏み台として使用可能な所定の強度を有するので、洗浄装置の不使用時は、容器、放出部、各経路及び台車などを収容してまとめておくことができる。また、洗浄装置の使用時は、ケースから容器、放出部、各経路及び台車などを出すだけで自動車等の洗浄作業を行うことが可能となる。また、ケースに容器、放出部、各経路及び台車等を収容しておけるので、洗浄装置の運搬も容易に行うことができる。
【００２８】
特に、ケースは内部を密閉可能に構成しているので、ケースに洗浄用水を入れても溢れ出ることがない。これにより、例えば、洗浄用水を入れたケースを自動車に乗せ、広い所に移動し洗車を行うこともできる。従って、水道の蛇口の無いところで容器内の洗浄用水が不足してしまった場合などでも、ケースに入れた洗浄用水を容器に収納して洗車を行うことができ、便利である。
【００２９】
また、ケースは所定の強度を有しているので、自動車の屋根などの、高所を洗浄する場合には、ケースを踏み台にして洗浄することが可能となる。従って、洗浄装置の利便性を更に向上させることができるようになるものである。
【発明を実施するための最良の形態】
【００３０】
本発明は、洗剤液の洗浄効果が低下せず、且つ、水道の蛇口が近場になく、ホースが届かない所でも容易に洗車を行うことができることを主な特徴とする。洗剤液の洗浄効果が低下せず、且つ、ホースが届かない場所で洗車を行うという目的を、台車に載置しホースを設けた容器に圧縮空気を注入するだけの簡単な装置で実現した。
【実施例１】
【００３１】
以下、本発明の実施の形態を図面に基づいて説明する。図１は本発明の一実施例を示す洗浄装置１０の側面図、図２は本発明の洗浄装置１０を構成する容器１２に洗浄用水を注入する状態を示す図、図３は本発明の洗浄装置１０を構成する放出部３０の斜視図をそれぞれ示している。
【００３２】
洗浄装置１０は、図１に示すように複数の容器１２と、各容器１２のにホース２０（本発明の通水経路に相当）で接続された放出部３０と、各容器１２内に所定の圧力を印加する加圧手段７０と、複数の容器１２（以降容器１２の数は２個で説明を行う。）と、加圧手段７０を載置可能な台車６０と、それらを収納可能なケース８０（図１３に図示）とから構成されている。尚、加圧手段７０については後で詳しく説明する。
【００３３】
該容器１２は、洗浄用水或いは洗剤液とが収納可能な大きさ（実施例では、約８リットルの容積）にて構成されると共に、透明或いは半透明の合成樹脂にて縦長略円筒形に構成されている。また、容器１２は、所定圧力の圧縮空気を注入しても容易に破損することのない強度にて構成されている。尚、容器１２の容積は、約８リットルに限らず、９リットル、１０リットル、或いはそれ以上の容積のものでも差し支えない。また、所定量の洗剤と、所定量の水とが混合されたものを洗剤液と称し、この洗剤液の作り方は後で詳しく説明する。
【００３４】
該容器１２には、自動車（図示せず）、犬などのペット９０（図１６に図示）、或いは、図示しない窓ガラスなどを洗浄するため洗剤と水とが所定の割合で混合された洗剤液が収納されると共に、洗剤が混合されていない洗浄用水（この場合、予め温められた水道水）が収納される。尚、洗浄用水は、温められた水道水に限らず、汚れのない綺麗な川の水や、湧き水などであっても差し支えないが、所定の温度に温められた水が好ましい。
【００３５】
加圧手段７０は、容器１２の長手方向一側に設けられると共に、加圧手段７０と少許間隔を存して他側方向に位置して注入口５０が設けられている（図２）。注入口５０は、洗浄用水又は洗剤液及び圧縮空気などを入れるためのもので、硬質ゴムホース、或いは、硬質樹脂パイプなどにて構成されている。該注入口５０の一方には漏斗５４が着脱自在に設けられると共に、他方は分岐して容器１２に回動自在に接続されている。
【００３６】
そして、注入口５０が各容器１２に接続された状態で、漏斗５４内と各容器１２内は連通される。該漏斗５４は、例えば、容器１２より小さな０．５リットル、或いは、１．５リットル程度のペットボトルを逆さにした状態で載置し保持可能な大きさに形成されている。尚、漏斗５４は、容器１２同様の大きさのペットボトルを逆さにした状態で載置できる大きさであっても差し支えない。
【００３７】
また、注入口５０には、開閉可能な弁５２が設けられており、この弁５２は分岐した注入口５０の各容器１２側に位置してそれぞれ設けられている。各弁５２が開いた状態では漏斗５４内と各容器１２内とが連通し、各弁５２が閉じられた状態では各容器１２内は密閉される。そして、一方の弁５２が開かれ、他方の弁５２が閉じられた状態で、漏斗５４に洗浄用水が注がれると、一方の容器１２内に洗浄用水が注入される。また、一方の弁５２が閉じられ、他方の弁５２が開かれた状態で漏斗５４に洗剤液が注がれると、他方の容器１２内に洗剤液が注入されるように構成されている。
【００３８】
また、各容器１２には、ホース２０がそれぞれ接続されており、このホース２０は、一般家庭の水道蛇口２６に接続されるものと略同等のホースにて構成されている。ホース２０は所定の長さ（この場合、３ｍ〜４ｍ）にて構成され、各容器１２内とホース２０内とは連通されている。
【００３９】
このホース２０は、容器１２内に収納した洗浄用水及び洗剤液等をそれぞれ放出するもので、各容器１２の下部に接続されると共に、先端部には洗浄用水及び洗剤液を放出するための放出部３０が接続されている。ホース２０は、台車６０に斜めに保持された容器１２（図１）内の洗浄用水、及び、洗剤液を最後まで放出することができる位置（容器１２下部の角部）に接続されている。
【００４０】
放出部３０は、図３に示すように容易に手で握ることができる直径及び長さにて構成されて降り、この放出部３０には、各ホース２０に連通して複数の放水口３１が設けられており、この放水口３１は洗浄用水を放水する第１放水口３１Ａと、洗剤液を放水する第２放水口３１Ｂとから構成されている。また、放出部３０の一面側には複数の操作レバー４１が設けられており、この操作レバー４１の反対側の面には装着孔部３８が設けられている。この放水口３１及び装着孔部３８は、放出部３０の先端部側に設けられると共に、放水口３１と装着孔部３８の先端は開口している。尚、放水口３１は、第１放水口３１Ａ、第２放水口３１Ｂを複数設けても差し支えない。
【００４１】
装着孔部３８の先端部側は、ビニールホース２８（本発明の圧縮空気経路に相当）からの圧縮空気が吐出される（図３点線）と共に、洗浄用補助具４４が着脱可能に装着されている（図４実線矢印）。洗浄用補助具４４には、装着孔部３８に挿入可能な挿入部（図示せず）が設けられており、この挿入部が装着孔部３８に挿入される（ホース２０と反対方向から挿入される）ことにより、洗浄用補助具４４は装着孔部３８に強力にロックされる。そして、ロックを解除する場合は、解除レバー（図示せず）が操作されることにより解除できるように構成されている。
【００４２】
該放水口３１は、ホース２０を介して容器１２内に連通すると共に、装着孔部３８は所定の耐圧のビニールホース２８を介してエアーコンプレッサ（図示せず）に連通している。このビニールホース２８の一側は装着孔部３８内に連通すると共に、他側は、容器１２下部まで配置され、そこから所定の長さ（約１ｍ）延在している。尚、エアーコンプレッサは、自動車のバッテリ、或いは、家庭用の一般商用電源に接続して使用するものである。
【００４３】
前記放出部３０には、洗浄用水の放出を制御する第１操作レバー４１Ａと、洗剤液の放出を制御する第２操作レバー４１Ｂとからなる操作レバー４１と、圧縮空気の吐出を制御する第３操作レバー４２が設けられている。該両操作レバー４１は、少し操作すると、両放水口３１からシャワー状に洗剤液及び洗浄用水が出て、大きく動作させると直線状に洗剤液及び洗浄用水が出るように構成されている。尚、操作レバー４１、４２が操作されない状態では、放出部３０への洗浄用水、洗剤液及び圧縮空気の吐出は行われないものとする。また、容器１２下部から所定長さ延在したビニールホース２８の端部には、前述したエアーコンプレッサが接続される。
【００４４】
また、放出部３０には、操作レバー４１、４２との間に手指挿入用空間を存して所定の保護部材４８が設けられている。この保護部材４８は、洗浄時に放出部３０を持つ手が、他の固い部分に当たって傷付いてしまうのを防止し、保護できるように設けられている。即ち、放出部３０の一側には、操作レバー４１、４２を操作時に手が当たらない間隔を存して湾曲した保護部材４８が設けられている。尚、保護部材４８の外面には弾性部材が設けられており、この弾性部材によって保護部材４８が自動車などに当たったとき、自動車に傷が付かないように構成されている。
【００４５】
ここで、洗浄用補助具４４は、図５に示すように一側にワイパー４５と、空気吐出部４６とが設けられており、他側は前記装着孔部３８に装着可能に構成されている。また、ワイパー４５の先端には、図６に示すように幅約２５０ｍｍ〜３００ｍｍで、一直線状（湾曲していない）のワイパーブレード４５Ａが設けられている。この一直線状のワイパー４５によって、窓ガラスなどの平面に付着した洗剤液や洗浄用水を綺麗に書き落とせるように構成されている。該空気吐出部４６は、ワイパー４５に対して放水口３１側に位置して設けられている。尚、気吐出部４６は、ワイパー４５に対して放水口３１と反対側に位置して設けても差し支えない。
【００４６】
また、空気吐出部４６にはワイパーブレード４５Ａの延在方向に長孔からなる吐出孔４６Ａ（図５に図示）が複数設けられると共に、空気吐出部４６の先端は、ワイパー４５より所定寸法短く形成されている（図４に図示）。これによって、ワイパーブレード４５Ａが自動車や窓ガラス面に当接した際、空気吐出部４６が自動車や窓ガラス面から所定寸法離間するように構成されている。尚、洗浄用補助具４４は、ワイパー４５と空気吐出部４６とを別々に設けても差し支えない。
【００４７】
また、装着孔部３８の先端には空気吐出口３８Ａ（図３に図示）が設けられている。そして、装着孔部３８に洗浄用補助具４４が装着されていない場合に第３操作レバー４２が操作された場合、装着孔部３８の空気吐出口３８Ａからは圧縮空気が吐出し、装着孔部３８に洗浄用補助具４４が装着されている場合は、吐出孔４６Ａから圧縮空気が吐出されるように構成されている。尚、吐出孔４６Ａは、丸孔であっても差し支えない。
【００４８】
また、図７に示すように、洗浄用補助具４４に設けたワイパー４５は湾曲させたものも用意している。この湾曲したワイパー４５は、自動車の表面など湾曲した部分に付着した洗剤液や洗浄用水を綺麗に書き落とせるように構成されている。即ち、洗浄用補助具４４を交換することにより、窓ガラスなどの平面にはワイパー４５の先端が一直線状のものを用い、自動車の表面など湾曲面にはワイパー４５の先端が湾曲しているものを用いられるように構成している。
【００４９】
前記放出部３０に接続された各ホース２０とビニールホース２８は一束にまとめられると共に、このビニールホース２８の他側は、容器１２下部まで配置され、そこから所定長さ（約１ｍ）延在している。また、両容器１２に接続されたホース２０と、エアーコンプレッサに接続されるビニールホース２８は、図８に示すように別に設けられた外ホース２９内に挿通されて一体化されている。これにより、複数のホース２０と、ビニールホース２８との取り扱いが容易に行えるように構成されている。
【００５０】
そして、第１操作レバー４１Ａが操作されると、容器１２内の洗浄用水が第１放水口３１Ａから放水され、第２操作レバー４１Ｂが操作されると、容器１２内の洗剤液が第２放水口３１Ｂから放水される。また、第３操作レバー４２が操作されると、エアーコンプレッサから供給された圧縮空気が、装着孔部３８の空気吐出口３８Ａ、或いは、複数の吐出孔４６Ａから吐出されるように構成されている。
【００５１】
一方、前記台車６０は、図９に示すように容器１２を複数本保持可能な載置板６２と、この載置板６２に立設された複数の保持部材６４と、載置板６２の下面に設けられた車輪６６とから構成されている。該台車６０は、複数の容器１２と各ホース２０や放出部３０、及び、加圧手段７０などを載置し保持可能に構成されると共に、それらが載置された状態で、車輪６６にて容易に移動可能に構成されている。尚、台車６０は、エアーコンプレッサも載置可能な大きさに構成されている。
【００５２】
該車輪６６は、台車６０の一側（図中左側）に設けられた車軸６８の両端に設けられると共に、他側（図中右側）の略中央に設けられている。そして、台車６０の一側両端に設けられた車輪６６にはブレーキ（図示せず）が設けられ、他側の略中央に設けられた車輪６６にはキャスター（図示せず）が設けられている。このようにキャスター付きの車輪６６により、台車６０は方向を容易に変えられるように構成すると共に、ブレーキによって台車６０を停止したい場所に確実に止められるように構成されている。
【００５３】
保持部材６４は、載置板６２の両端近傍に立設され、一方の保持部材６４（図中左側）は、短尺（高さ約５０ｍｍ）に形成されると共に、他方の保持部材６４（図中右側）は、一方の保持部材６４より長尺（高さ約１５０ｍｍ）に形成されている。これによって、台車６０は、容器１２を斜めに保持（図１に図示）できるように構成されると共に、保持した容器１２が容易に動いてしまうのを防止できるように構成している。即ち、一方の保持部材６４は、容器１２の底部１６側を保持可能な位置に立設され、他方の保持部材６４は、容器１２の上部近傍を保持可能な位置に立設されている。
【００５４】
そして、前記漏斗５４は、台車６０の保持部材６４に容器１２が垂直に保持された状態で、容器１２を略平行になるように回動可能に構成されている（図１矢印）。これによって、漏斗５４を使用しない場合、漏斗５４が邪魔にならないように構成している。尚、台車６０の保持部材６４を折り畳み式にして、洗浄装置１０を使用しないときに保持部材６４を折り畳んでコンパクトにし、収納スペースを小さくしても良い。また、容器１２は、ワイヤー、合成樹脂、或いは、革などのバンドによって保持部材６４に固定され保持される。
【００５５】
ここで、洗剤液の作り方を詳しく説明する。洗浄装置１０には図１０に示すような撹拌装置７５と、ペットボトルからなる撹拌容器７４とを設けている。撹拌装置７５は、所定量の洗剤と所定量の水とを混合するもので、回転駆動部７７と撹拌羽根７９とから構成されている。回転駆動部７７の一側には電池７６が設けられており、他側には回転駆動部７７によって回転するシャフト７８が設けられている。尚、撹拌容器７４には、０．５リットル、１．０リットル、１．５リットル或いは２．０リットルのペットボトルがあるが、何れのものを用いても差し支えない。
【００５６】
そして、回転駆動部７７は、撹拌容器７４の飲み口部７４Ａに当接して、容器内に入らない大きさに構成されると共に、シャフト７８は、飲み口部７４Ａから容易に撹拌容器７４内に挿入可能な直径にて構成されている。該シャフト７８は、所定の長さにて形成されており、先端にはプロペラ状の撹拌羽根７９が設けられている。この撹拌羽根７９は、撹拌容器７４の飲み口部７４Ａから、当該撹拌容器７４内部に容易に挿入可能な弾性材料にて構成されている。尚、回転駆動部７７を撹拌容器７４の飲み口部７４Ａに当接させた状態で、シャフト７８の先端及び撹拌羽根７９は、撹拌容器７４の底部７４Ｂに当接しない長さ寸法にて構成されている。
【００５７】
そして、撹拌容器７４内に所定量の洗剤と水とが入れられた後、撹拌装置７５の撹拌羽根７９が、飲み口部７４Ａから撹拌容器７４内に挿入される。次に、撹拌装置７５に設けられた、スイッチ（図示せず）が操作されると、回転駆動部７７はシャフト７８を介して撹拌羽根７９を回転させる。これによって、撹拌容器７４内に入れられた所定量の洗剤と水とが撹拌され、満遍なく混合されて洗剤液が作られる。
【００５８】
また、前記加圧手段７０は図１１に示すように、手動式（手押しタイプ）の空気入れで、容器１２の一側に設けられている。この加圧手段７０には容器１２内に所定量の空気を注入して所定圧力の印加を行う、手動式の取っ手７３が設けられている。該加圧手段７０には図示しない弁が設けられており、この取っ手７３が往復動（図中実線矢印）されることにより容器１２内に圧縮空気が入り、容器１２内に密封された圧縮空気は弁によって外に漏れないように構成されている。
【００５９】
また、図１２に他の加圧手段７０を示している。該加圧手段７０は、前記取っ手７３の代わりに、電動式のエアーコンプレッサが設けられている。即ち、加圧手段７０の上部には電池７６が設けられ、その下側には、電池式のエアーコンプレッサ（図示せず）が設けられている。そして、加圧手段７０のスイッチ（図示せず）がＯＮされると、エアーコンプレッサが駆動して、容器１２内に所定圧力の空気が注入されて、容器１２内に所定の圧力が印加される。このように、加圧手段７０は、電池式のエアーコンプレッサを用いて容器１２内に所定圧力の圧縮空気を注入するものであっても差し支えない。
【００６０】
尚、前記撹拌装置７５を容器１２に着脱可能に構成すると共に、加圧手段７０を容器１２に着脱可能に構成しても差し支えない。この場合、容器１２内に洗剤と水とを入れ、加圧手段７０の代わりに撹拌装置７５を取り付け、容器１２内に入れた洗剤と水とを撹拌して洗剤液を作った後、加圧手段７０を容器１２に取り付ける。これにより、ペットボトルからなる撹拌容器７４を使用しなくても、容器１２内で直接洗剤液を作ることができる。従って、撹拌容器７４が不要となり、洗浄装置１０の利便性を大幅に向上させることができる。
【００６１】
他方、前記ケース８０は、図１３、図１４に示すように容器１２、放出部３０、各ホース２０及び台車６０などを収容可能な容積を有すると共に、洗車時などに踏み台として使用可能な所定の強度にて構成されている。即ち、ケース８０は、高さ約３５０ｍｍ、縦約４００ｍｍ、横約６００ｍｍの箱体で、所定の強度を有する合成樹脂にて構成されている。該ケース８０は、上面を開口した本体８１と、この本体８１の上面開口を閉塞する蓋体８２とから構成されている。尚、８４は、ケース８０を吊して持ち運ぶための吊し部材である。
【００６２】
該ケース８０は、本体８１と蓋体８２との当接部にパッキン（図示せず）が設けられると共に、ケース８０の長手方向両側面には本体８１と蓋体８２とを固定するためのロック機構８３が設けられている。そして、このロック機構８３にて本体８１と蓋体８２とが固定されロックされることにより、蓋体８２は本体８１に押し付けられ、パッキンによってケース８０内が密閉されるように構成されている。これによって、ケース８０内に洗浄用水を収容し、ケース８０が揺れても、ケース８０内から洗浄用水が溢れ出ないように構成されている。
【００６３】
以上の構成で、次に洗浄装置１０の使用例を説明する。尚、洗剤と水とが所定の割合で撹拌容器７４内に入れられ、撹拌装置７５で撹拌された洗剤液が予め用意されると共に、ケース８０内には容器１２、放出部３０、各ホース２０及び台車６０などが収容されているものとする。また、洗浄用補助具４４は、湾曲したワイパー４５が設けられると共に、装着孔部３８の空気吐出口３８Ａ、及び、空気吐出部４６から圧縮空気を吐出するためのエアーコンプレッサも予め用意されているものとする。
【００６４】
まず、洗車を行う場合、ケース８０内に収容された容器１２、放出部３０、各ホース２０及び台車６０などを取り出す。次に、ケース８０本体８１に洗浄用水を入れ、本体８１の開口部を蓋体８２で閉塞した後、本体８１と蓋体８２とをロック機構８３にてロックする。これにより、ケース８０が揺れても中に収納した洗浄用水は溢れ出なくなる。
【００６５】
次に、洗浄用水を収納したケース８０と、容器１２、放出部３０、各ホース２０及び台車６０などを、自動車の洗浄場所まで運ぶ。そして、放出部３０の装着孔部３８に洗浄用補助具４４（ワイパー４５）が装着された後、注入口５０が取り付けられた容器１２が台車６０の保持部材６４に保持される。このときホース２０が真下に位置するように保持部材６４に容器１２を保持する。次に、ロック機構８３のロックが解除されて、本体８１から蓋体８２が外され、予め用意したペットボトル（この場合、ペットボトルは、容器１２より少し小さめのものが良い）に、ケース８０内に入れられた洗浄用水が入れられる。
【００６６】
次に、注入口５０に設けた漏斗５４が回動されて略垂直に立てられ、一方の弁５２（この場合、洗浄用水を入れる側の弁５２）が開かれ、他方の弁５２（この場合、洗浄用水を入れない側の容器１２の弁５２）が閉じられる。そして、漏斗５４内に、洗浄用水が入れられたペットボトルが逆さに入れられると、ペットボトル内の洗浄用水は自重で落下し容器１２内に入る。これが数回繰り返されて、弁５２が開かれた容器１２に洗浄用水が所定量収納された後、漏斗５４からペットボトルが外される。尚、容器１２内には洗浄用水が７０％〜８０％入れられる。
【００６７】
また、洗浄用水が所定量収納されたら弁５２が閉じられ、他方の弁５２が開かれる。そして、予め洗剤液を入れた撹拌容器７４が漏斗５４内に逆さに入れられる。これにより、洗剤液が自重で落下し、弁５２が開かれた他方の容器１２に所定量収納される。尚、この容器１２内にも７０％〜８０％の洗剤液が入れられるが、洗剤液を大量に使用しないのであれば、洗剤液はこれより少なくても差し支えない。また、一方の容器１２に洗剤液を入れ、他方の容器１２に洗浄用水を入れても差し支えない。この場合は、洗浄用水を吐出する操作レバー４１Ａと、洗剤液を吐出する操作レバー４１Ｂとを逆に操作する必要がある。
【００６８】
次に、一方の容器１２側の弁５２と他方の容器１２側の弁５２が閉じられる。そして、一方の容器１２に設けられた加圧手段７０が操作され、一方の容器１２内に所定の圧力の圧縮空気が注入される。これにより、一方の容器１２内に所定の圧力が印加される。また、他方の容器１２に設けられた加圧手段７０が操作され、他方の容器１２内に所定の圧力の圧縮空気が注入される。これにより、他方の容器１２内にも所定の圧力が印加される。尚、台車６０に載置したエアーコンプレッサを使用して、各容器１２に圧縮空気を注入しても差し支えない。この場合、両容器１２に圧縮空気注入口を設ける必要がある。
【００６９】
そして、自動車を洗浄する場合、予め用意した洗浄ブラシを一方の手に持ち、他方の手に放出部３０を持つ。次に、洗剤液用の操作レバー４１Ｂが操作されると、放出部３０の第２放水口３１Ｂからは洗剤液がシャワー或いは直線状に放出されるので、その洗剤液を利用して、洗浄ブラシで自動車の表面の汚れを落とす。次に、操作レバー４１Ｂから手を離して、第２放水口３１Ｂからの洗剤液の放出を停止した後、ワイパー４５にて自動車表面の洗剤液を綺麗に掻き落とす。
【００７０】
これにより、洗浄面から洗剤液を略綺麗に掻き落とすことができる。この場合、自動車の表面には洗剤液が殆ど付着していないので、自動車表面の汚れ残りを容易に発見することができる。係る自動車表面に汚れ残りが発見された場合、その汚れを再度洗浄ブラシで綺麗に落とすことができるので、自動車の洗浄作業を確実に行うことができる。尚、自動車の屋根など、高所を洗浄する場合、ケース８０を踏み台にすれば、高所の汚れも視認することができるので、高所も綺麗に洗浄することができる。
【００７１】
次に、洗浄用水用の操作レバー４１Ａを操作して、放出部３０の第１放水口３１Ａから洗浄用水をシャワー或いは直線状に放出し、自動車表面に付着している洗剤液を洗い流す。この場合、ワイパー４５にて自動車表面の洗剤液を綺麗に掻き落としているので、少ない洗浄用水で自動車表面に残っている洗剤液を洗い流すことができる。そして、操作レバー４１Ａから手を離して、第１放水口３１Ａから洗浄用水の放出を停止した後、ワイパー４５にて自動車表面の洗浄用水を綺麗に掻き落とす。これにより、洗浄面から洗浄用水を略綺麗に掻き落とすことができる。
【００７２】
また、エアーコンプレッサにビニールホース２８を接続し、電源を自動車のバッテリ、或いは、家庭用の一般商用電源に接続する。そして、エアーコンプレッサが運転され、第３操作レバー４２が操作されると、空気吐出部４６の吐出孔４６Ａからは圧縮空気が吐出する。この圧縮空気により、洗剤液を洗い流した洗浄用水を自動車の表面から綺麗に吹き飛ばすことができる。
【００７３】
これにより、自動車の表面には殆ど洗浄用水残りがなくなるので、洗車後の洗浄用水の拭き取り作業を極めて容易に行うことができる。そして、自動車の洗浄を終了した後は、容器１２、放出部３０、各ホース２０及び台車６０などをケース８０内に収容する。このとき、勿論ケース８０内に入れた洗浄用水は、容器１２などを収容する以前に廃棄しておく。
【００７４】
このように、所定量の洗浄用水と洗剤液をそれぞれ収納可能な複数の容器１２と、当該各容器１２内に所定の圧力を印加する加圧手段７０と、洗浄用水及び洗剤液を放出する放出部３０と、各容器１２内と放出部３０とをそれぞれ連通する複数のホース２０と、放出部３０からの洗浄用水及び洗剤液の放出を制御する操作レバー４１と、洗浄用補助具４４を着脱可能に装着可能な装着孔部３８とを備えているので、自動車の洗浄場所近傍に水道の蛇口２６が無い場合、自動車を洗浄する場所まで洗浄用水と洗剤液とを運ぶことができるようになる。また、装着孔部３８に、洗浄用補助具４４（例えばワイパー４５）を装着すれば、自動車表面の洗剤液や洗浄用水を綺麗に掻き落とすことが可能となり、拭き取り作業も容易に行うことができる。
【００７５】
また、各操作レバー４１、４２をそれぞれ操作することにより、洗浄用水と洗剤液とを別々に放水することができるので、必要に応じて洗浄用水或いは洗剤液を放水することが可能となる。これにより、外水道の蛇口が近場にないマンションや、アパートなどのホースが届かない場所でも洗浄用水、或いは、洗剤液を用いて自動車などを綺麗に洗浄することが可能となる。従って、狭い場所で自動車を洗わなくても、広い場所に移動し、そこで自動車を洗うことができ便利である。また、洗浄用水に温水を用いることで、冬場などの寒い時期でも洗浄効果を向上させることができる。
【００７６】
特に、加圧手段７０により容器１２内を加圧しており、この圧力により容器１２内の洗剤液や洗浄用水を高い場所に押し上げることができる。即ち、加圧手段７０を設けているので、加圧した容器１２内の浄用水及び洗剤液などを自動車の高い屋根などでも放出部３０から放水することができる。また、洗浄用補助具４４により放出部３０から自動車の屋根などに放水した洗浄用水、及び、洗剤液を綺麗に掻き落とすことが可能となる。これにより、自動車全体を容易に洗浄し、水滴を残すことなく綺麗に洗浄することが可能となる。
【００７７】
また、放出部３０に圧縮空気を供給するためのビニールホース２８を備え、放出部３０には、ホース２０からの放水口３１と、ビニールホース２８からの圧縮空気を吐出する空気吐出口３８Ａを備えた装着孔部３８を設けているので、洗浄ブラシで自動車を洗浄した後、ワイパー４５と空気吐出部４６とが設けられた洗浄用補助具４４を装着孔部３８に装着すれば、自動車表面の洗剤液や洗浄用水をワイパー４５で綺麗に掻き落とすことができると共に、空気吐出口３８Ａから吐出した圧縮空気によりワイパー４５で掻き落とし、残った水滴を綺麗に吹き飛ばすことができる。これにより、短時間で洗車後の自動車表面の拭き取り作業を行うことが可能となる。従って、洗車作業の大幅な改善を行うことができるようになる。
【００７８】
また、例えば従来のように、汚れた洗浄ブラシを洗剤液の中に入れることにより、洗剤液が汚れてしまうなどの不都合を未然に防止することができるようになると共に、洗剤液が洗浄用水によって薄まってしまうなどの不都合も未然に防止することが可能となる。従って、洗剤液と洗浄用水との使用量が少なくて済み、洗剤液と洗浄用水とを大幅に節約することができるようになる。
【００７９】
また、各容器１２に、洗浄用水又は洗剤液及び圧縮空気の注入口５０を備え、この注入口５０には開閉可能な弁５２を設けているので、一方の弁５２を開き、他方の弁５２を閉じれば、開いた弁５２側の容器１２内に洗浄用水又は洗剤液などを所定量注入することができる。また、両容器１２に加圧手段７０にて圧縮空気を注入すれば、所定の操作レバー４１を操作するだけで、圧縮空気で加圧された洗浄用水又は洗剤液などを放出部３０から放出することが可能となる。また、各容器１２をそれぞれ単独で加圧することができるので、容器１２に洗浄用水又は洗剤液を入れ換えるとき、作業工数を大幅に削減することができる。
【００８０】
また、放出部３０には、操作レバー４１との間に手指挿入用空間を存して所定の保護部材４８を設けているので、洗浄時に放出部３０を持っている手が、他の固い部分に当たって傷付いてしまうのを保護することができる。これにより、洗浄時に手に怪我をしてしまうなどの不都合を未然に阻止することが可能となり、洗浄作業を極めて安全に行うことができる。
【００８１】
また、少なくとも容器１２、放出部３０及び各ホース２０を載置可能な車輪６６付きの台車６０を備えているので、自動車の洗浄時に洗浄装置１０を軽い操作力で移動させることができるようになる。これにより、従来のように、水道の蛇口２６に接続された長いホースが邪魔になることなく、洗浄装置１０を移動することが可能となる。従って、従来のように、長いホースを引き摺って自動車周囲を洗浄しなくても、洗浄装置１０を台車６０で移動して、自動車周囲を容易に洗浄することができる。
【００８２】
また、少なくとも容器１２、放出部３０、各ホース２０及び台車６０を収容可能な容積を有して内部を密閉可能なケース８０を備えると共に、このケース８０は、踏み台として使用可能な所定の強度を有しているので、洗浄装置１０の不使用時は、容器１２、放出部３０、各ホース２０及び台車６０などをまとめて収容しておくことができ、使用時は、ケース８０から容器１２、放出部３０、各ホース２０及び台車６０などを取り出すだけで洗浄作業を行うことができる。また、ケース８０に容器１２、放出部３０、各ホース２０及び台車６０等を収容しておけるので、洗浄装置１０の運搬も容易に行うことができる。
【００８３】
特に、ケース８０は内部を密閉可能に構成しているので、ケース８０内に収容した洗浄用水が溢れ出ることがない。これにより、例えば、洗浄用水を入れたケース８０を自動車に乗せ、広い場所に移動しても自動車内部がケース８０内から溢れ出た水で濡れてしまうのを防止することができる。従って、水道の蛇口２６の無いところで容器１２内の洗浄用水が不足してしまった場合でも、ケース８０に入れた洗浄用水を容器１２に収納し、洗車を行うことができ、洗車途中で洗浄用水がなくなるなどの不都合を未然に防止することができる。また、ケース８０は所定の強度を有しているので、自動車の屋根などの高所を洗浄する場合には、ケース８０を踏み台にして洗浄することができ便利である。
【実施例２】
【００８４】
次に、図１５、図１６には本発明の他の実施例の洗浄装置１０を示している。該洗浄装置１０は、前述の実施例と略同じ構成を有している。以下、異なる部分について説明する。尚、前述の実施例と同じ部分にはこれと同じ符号を付し、説明を省略する。洗浄装置１０は、図１５に示すように、洗浄用補助具４４の一側には前述のワイパー４５の代わりにペット９０（例えば犬）の毛を洗うための熊手型の洗浄用櫛８５が設けられている。
【００８５】
そして、ペット９０を洗う場合は、予めペット９０を洗うためのシャンプーが用意される。そして、ケース８０内に収容された容器１２、放出部３０、各ホース２０及び台車６０などを取り出す。次に、ケース８０本体８１に洗浄用水（この場合、ペットが熱くない温度に予め加熱された洗浄用水）を入れ、本体８１の開口部を蓋体８２で閉塞した後、本体８１と蓋体８２とをロック機構８３にてロックする。
【００８６】
次に、ペット、及び、洗浄用水を収納したケース８０と、容器１２、放出部３０、各ホース２０及び台車６０などを、ペット９０を洗う場所まで運ぶ。そして、放出部３０の装着孔部３８に洗浄用櫛８５が装着された後、注入口５０が取り付けられた容器１２が台車６０の保持部材６４に保持される。次に、ロック機構８３のロックが解除され、本体８１から蓋体８２が外され、予め用意されたペットボトル（この場合、ペットボトルは、容器１２より少し小さめのものが良い）に、ケース８０内に入れられた洗浄用水が入れられる。
【００８７】
次に、注入口５０に設けられた漏斗５４が略垂直に立てられた後、一方の弁５２（この場合、洗浄用水を入れる側の弁５２）が開かれ、他方の弁５２（この場合、洗浄用水を入れていない方の容器１２の弁５２）が閉じられる。そして、漏斗５４内に、洗浄用水が入れられたペットボトルが逆さに入れられ、ペットボトル内の洗浄用水が容器１２内に入れられる。これが数回繰り返されて、弁５２が開かれた容器１２内に洗浄用水が所定量収納され、漏斗５４からペットボトルが外される。尚、容器１２内には洗浄用水を７０％〜８０％入れられる。
【００８８】
また、洗浄用水が容器１２内に収納されたら弁５２が閉じられ、他方の弁５２が開かれる。そして、この場合も、漏斗５４内に、洗浄用水が入れられたペットボトルが逆さに入れられ、ペットボトル内の洗浄用水が容器１２内に入れられる。これが数回繰り返されて、弁５２が開かれた容器１２内に洗浄用水が所定量収納され、漏斗５４からペットボトルが外される。尚、容器１２内には洗浄用水を７０％〜８０％入れられる。即ち、ペットを洗う場合は、専用のシャンプーを使用するので、両容器１２内には洗剤液は入れず、洗浄用水だけを入れる。
【００８９】
次に、一方の容器１２側の弁５２と他方の容器１２側の弁５２が閉じられる。そして、一方の容器１２に設けられた加圧手段７０が操作され、一方の容器１２内に所定の圧力の圧縮空気が注入される。これにより、一方の容器１２内に所定の圧力が印加される。また、他方の容器１２に設けられた加圧手段７０が操作され、他方の容器１２内に所定の圧力の圧縮空気が注入される。これにより、他方の容器１２内にも所定の圧力が印加される。尚、台車６０に載置したエアーコンプレッサを使用して、各容器１２に圧縮空気を注入しても差し支えない。この場合、両容器１２に圧縮空気注入口を設ける必要がある。
【００９０】
そして、ペット９０を洗う場合、図１６に示すように蓋体８２を外したケース８０の本体８１内にペット９０が入れられ、一方の手に手袋をはめシャンプーを持ち、他方の手に放出部３０を持つ。次に、洗剤液用の操作レバー４１（４１Ａ或いは４１Ｂ）が操作されると、放水口３１（３１Ａ、３１Ｂ）から洗浄用水が放出されるので、その洗浄用水を利用して、手袋をした手でペット９０のシャンプーを行うと共に、放出部３０に設けられた洗浄用櫛８５を使用してペット９０を洗う。
【００９１】
即ち、手袋をした手と洗浄用櫛８５の双方（片方だけでも差し支えない）を使用してペットを洗う。このとき、洗浄用水を出したままにすると、シャンプーが流れてしまうので、適宜洗浄用水の放出を停止してからペットのシャンプーを行う。尚、一方の手の手袋はなくても差し支えない。ペットのシャンプーが終了したら、操作レバー４１（４１Ａ或いは４１Ｂ）を操作して、放出部３０から洗浄用水を放出し、ペット９０に付着しているシャンプーを洗い流す。
【００９２】
そして、操作レバー４１から手を離して、放水口３１（３１Ａ、３１Ｂ）Ａから洗浄用水の放出を停止する。次に、両手で、ペットに付着した洗浄用水を大体絞って、ペット９０の濡れを少なくする。このとき、蓋体８２を外したケース８０の本体８１内にペット９０を入れているので、洗ったペット９０が土や埃で汚れてしまうのを防止することができ、綺麗に洗うことができる。
【００９３】
次に、エアーコンプレッサにビニールホース２８を接続し、電源を自動車のバッテリ、或いは、家庭用の一般商用電源に接続する。また、放出部３０の装着孔部３８から洗浄用櫛８５を外す。そして、エアーコンプレッサの運転が行われ、第３操作レバー４２が操作されると、装着孔部３８の空気吐出口３８Ａからは圧縮空気が吐出される。この圧縮空気により、洗剤液を洗い流した洗浄用水を綺麗に吹き飛ばした後、タオルなどで、ペット９０の水気を良く拭き取り、ペット９０洗いを完了する。
【００９４】
このように、洗浄用補助具４４を取り外した状態で、ビニールホース２８からの圧縮空気を、装着孔部３８から吐出するようにしているので、犬などのペット９０を洗った後、装着孔部３８の空気吐出口３８Ａから吐出する圧縮空気でペット９０の毛を乾かすことができる。これにより、洗浄装置１０の利便性を大幅に向上させることができるようになる。
【００９５】
また、犬などのペットのシャンプーを、自宅バスルームの浴槽を利用せずに済むので、抜けた毛などにより浴槽が汚れてしまう不都合を確実に防止することができる。また、放出部３０からは、ペットが熱くない温度に予め加熱された洗浄用水が放出されるので、従来のように、シャワーの水温が高温になったり、低温になったりしないので、安心してペットのシャンプーを行うことができ、便利である。
【００９６】
尚、実施例では、容器１２をペットボトルで説明したが、容器１２はペットボトルに限らず、容量、耐圧などを満足させることができれば、ペットボトル以外の容器であっても差し支えない。
【００９７】
また、複数の容器１２の数を２個で説明したが、容器１２の数は２個に限らず、３個、４個或いはそれ以上であっても差し支えない。この場合、洗浄用水を収納する容器１２、及び、洗剤液を収納する容器１２に接続する各ホース２０は、各容器１２近傍でそれぞれまとめ、１本にしてから放出部３０まで延在させて接続するのが好ましい。
【００９８】
また、洗浄装置１０で、自動車の洗浄と、犬などのペット９０の洗浄を行ったが、洗浄装置１０での洗浄は自動車やペット９０に限らず、窓ガラスなども綺麗に洗浄することができる。これにより、洗浄装置１０の更なる汎用性を拡大することができるようになり、便利である。
【００９９】
また、勿論本発明は、上記各実施例のみに限定されるものではなく、この発明の範囲を逸脱することなく他の様々な変更を行っても本発明は有効である。
【図面の簡単な説明】
【０１００】
【図１】本発明の一実施例を示す洗浄装置の側面図である（実施例１）。
【図２】本発明の洗浄装置を構成する容器に洗浄用水を注入する状態を示す図である。
【図３】本発明の洗浄装置を構成する放出部の斜視図である。
【図４】本発明の洗浄装置を構成する放出部の側面図である。
【図５】本発明の洗浄装置を構成する放出部に取り付けた洗浄用補助具（ワイパー）の正面図である。
【図６】同図５の洗浄用補助具（ワイパー）の側面図である。
【図７】本発明の洗浄装置を構成する放出部に取り付けた他の洗浄用補助具（ワイパー）の正面図である。
【図８】本発明の洗浄装置を構成する通水経路（ホース）の縦断面図である。
【図９】本発明の洗浄装置を構成する台車の平面図である。
【図１０】撹拌装置を取り付けた容器の正面図である。
【図１１】加圧手段（手動式）を取り付けた容器の側面図である。
【図１２】他の加圧手段（電動式）を取り付けた容器の側面図である。
【図１３】本発明の洗浄装置を構成するケースの斜視図である。
【図１４】本発明の洗浄装置を構成するケースの側面図である。
【図１５】本発明の洗浄装置を構成する他の洗浄用補助具の正面図である（実施例２）。
【図１６】本発明の洗浄装置にてペットを洗浄している状態を示す図である。
【符号の説明】
【０１０１】
１０  洗浄装置
１２  容器
１８  蓋部材
２０  ホース
２６  蛇口
２８  ビニールホース
２９  外ホース
３０  放出部
３１  放水口
３８  装着孔部
３８Ａ  空気吐出口
４１  操作レバー
４２  第３操作レバー
４４  洗浄用補助具
４５  ワイパー
４６  空気吐出部
４６Ａ  吐出孔
４８  保護部材
５０  注入口
５２  弁
５４  漏斗
６０  台車
６４  保持部材
７０  加圧手段
７４  撹拌容器
７５  撹拌装置
７９  撹拌羽根
８０  ケース
８１  本体
８３  ロック機構
８５  洗浄用櫛
９０  ペット
【図１】
2007216862.tif 000003
【図２】
2007216862.tif 000004
【図３】
2007216862.tif 000005
【図４】
2007216862.tif 000006
【図５】
2007216862.tif 000007
【図６】
2007216862.tif 000008
【図７】
2007216862.tif 000009
【図８】
2007216862.tif 000010
【図９】
2007216862.tif 000011
【図１０】
2007216862.tif 000012
【図１１】
2007216862.tif 000013
【図１２】
2007216862.tif 000014
【図１３】
2007216862.tif 000015
【図１４】
2007216862.tif 000016
【図１５】
2007216862.tif 000017
【図１６】
2007216862.tif 000018